(57)【要約】【課題】  ＡＬＣパネルの取付容易性を維持したままで、その梁の繋手部分における施工を容易にするパネルの取り付け用金具を提供する。【解決手段】  水平部と垂直部とから構成された鋼材であって、垂直部は水平部よりも両端に長く張り出しており、その張出し部分は水平部と同方向に、梁上に固定される定規アングルの厚さ分だけ略Ｚ形に曲げられているパネルの取り付け用金具。【選択図】図１
2005256366.tif 000002
【特許請求の範囲】
【請求項１】
梁と梁の接合部に固定されたスプライスプレート部に取り付けるＡＬＣ壁パネルの取り付け用金具であって、該取り付け用金具は水平部と垂直部とからなる鋼板で構成されており、該垂直部は両端が水平部よりも長く張り出しており、その張り出し部分は梁上に固定される定規アングルの厚さ分だけ略Ｚ形に建築物の内側方向に曲げられていることを特徴とするＡＬＣパネルの取り付け用金具。
【発明の詳細な説明】
【技術分野】
【０００１】
本発明は、梁の接合部にＡＬＣ壁パネルを固定するためのＡＬＣ壁パネルの取り付け用金具に関するものである。
【背景技術】
【０００２】
従来、例えば、ＡＬＣパネルを建築物の鉄骨躯体等に取り付けて縦壁を構成する際には、ＡＬＣパネルを建築物の鉄骨躯体(多くの場合は梁)に直接取り付けるのではなく、ＡＬＣパネルを精度良く簡単に取り付けできるように、予めＡＬＣパネルの取付用として定規アングルを鉄骨躯体に取り付ける。その後、その定規アングルにＡＬＣパネルを所定の取り付け金具などにより取り付けている。しかし、梁の接合部においてはスプライスプレートにより連結される構造になっている為、定規アングルを設置することができないので、梁の接合部周辺にＡＬＣパネルを取り付ける事が出来ない。このためＡＬＣパネルの取付強度が不足する懸念がある。
【０００３】
梁の接合部付近にＡＬＣパネルを取り付ける場合は専用の取り付け用金具を使用する必要がある。図３に梁の接合部に使用する取り付け用金具の一例を示す。また、この、取り付け用金具を使用して梁の接合部にＡＬＣパネルを取り付ける場合の接合構造を図４に示す。
従来は、図３に示すように鋼板製のフラットバーからなり、両端が梁上に固定される定規アングルの厚さ（ｄ）分だけ略Ｚ形に曲げられている取り付け用金具１１が使用されていた。この取り付け用金具１１を使用して梁の接合部にＡＬＣパネルを取り付けるには、図４に示すように、梁２の接合部１３により分断された定規アングル１６，１６の端部間に、上記取り付け用金具１１を溶接固定する。梁２，２の接合部１３はスプライスプレート１４がボルト１５によって接合されている。そして取り付け用金具１１に所定の自重受け金具７やパネル取り付け金具８を用いて図示省略のＡＬＣパネルを取り付けていた。取り付け用金具１１は両端を同一方向に定規アングル１６の厚さ（ｄ）分だけ略Ｚ形に折り曲げてあるので、取り付け用金具１１と定規アングル１６の建物外側面はほぼ同一平面となり、ＡＬＣパネルの自重受け金具７やパネル取り付け金具８を自由に取り付けることができるようになっている。
しかし、図３に示すような両端を略Ｚ形に折り曲げたフラットバーからなる取り付け用金具は、ＡＬＣパネルの取り付け用金具としては、面外方向の外力に対し強度が不足しているので補強が必要である。ところが、スプライスプレートへの溶接は梁の構造上実施不可であるため、梁から控えを取るなどの補強ができない難点がある。
【０００４】
図５に梁の接合部に使用する取り付け用金具の別の例を示す。また、この取り付け用金具を使用して梁の接合部にＡＬＣパネルを取り付ける接合構造を図６に示す。
この取り付け用金具１２はアングル鋼材からなり、図６に示すようにアングル鋼材の垂直面１２ａを定規アングル１２の端部へ側面がコの字型を形成する様に沿わせ、それらの各端部同士を溶接固定して連結する。この取り付け用金具１２に所定の自重受け金具７やパネル取り付け金具８を用いて図示省略のＡＬＣパネルを取り付けていた（例えば、特許文献１参照。）。
【特許文献１】特開２０００−７３４８１号公報
【発明の開示】
【発明が解決しようとする課題】
【０００５】
図５に示すようなアングルからなる取り付け用金具１２の場合は、定規アングル１６の端部との溶接固定をするに際して、それ単独ではすみ肉溶接ができない為に、フラットバーからなるピース片１７を定規アングル１６と取り付け用金具１２の端部を跨ぐように沿わせ、確実に溶接固定出来るようにしなければならないが、これには施工手間がかかるという難点がある。
そこで、本発明の目的はＡＬＣパネルの取付容易性を維持したままで、その梁の接合部分における上記問題点を解決したパネルの取り付け用金具を提供することにある。
【課題を解決するための手段】
【０００６】
前記課題を解決する為に本発明のパネルの取り付け用金具は、水平部と垂直部とからなる鋼板で構成されており、該垂直部は両端が水平部よりも長く張り出しており、その張り出し部分は梁上に固定される定規アングルの厚さ分だけ略Ｚ形に建築物の内側方向に曲げられているパネルの取り付け用金具とした。
【０００７】
以下に本発明の作用を説明する。
本発明のパネルの取り付け用金具は、断面が水平部と垂直部とからなる鋼板であって、垂直部は水平部よりも両端に張り出しており、その張り出し部分は水平部と同方向に、梁上に固定される定規アングルの厚さ分だけ略Ｚ形に曲げられているため、定規アングルの端部への取り付けは、定規アングルの起立面に沿わせるのみで同一面を保って接合部で二分された定規アングルを連結することが可能であり、更には容易に確実な溶接固定が可能である。また、自重又は面外方向の外力に対しては、取り付け用金具の断面係数が非常に高くなるため、特別な補強をすることなく強度上の問題も解決できる。
【発明の効果】
【０００８】
本発明のパネルの取り付け用金具を使用すれば、スプライスプレートにより二分された定規アングルを容易に連結することが可能であり、梁の接合部にＡＬＣパネルを取り付ける施工手間を削減することができる。また、ＡＬＣパネルは十分な取付強度をもって取り付けられ、層間変形追従性に優れた壁面を構成する事ができる。
【発明を実施するための最良の形態】
【０００９】
以下、本発明の実施形態を図に基づいて説明する。
図１は本発明のパネルの取り付け用金具を示す斜視図である。図１に示すように本発明のパネルの取り付け用金具１は、水平部１ａと垂直部１ｂとからなる鋼板から構成されており、垂直部１ｂは水平部１ａよりも両端に張出した張出部１ｃを有していて、その張出部１ｃは水平部１ａと同方向に、梁上に固定される定規アングルの厚さ（ｄ）分だけ、建築物内側に向けて略Ｚ形に曲げてある。
このようにパネルの取り付け用金具を構成すれば、建築物外側に対する強度も十分発揮され、取り付ける場合も定規アングルと同一平面を形成することが可能となり、しかも溶接固定も容易に実施することができる。
【００１０】
次に、上記パネルの取り付け用金具１を用いてＡＬＣパネルを構造体に取り付ける場合の取付構造を図２に示す。
梁２の接合部１３の上面には、スプライスプレート１４が複数のボルト１５によって固定され、梁２，２を接合している。この梁の接合部分近傍では、定規アングル１６がスプライスプレート１４によって二分されている。二分された定規アングル１６の端部同士は図１の取り付け用金具１によって溶接接合により連結されている。取り付け用金具１は、その両端の張出部１ｃを定規アングル１６の起立面１６ａに沿わせ、張出部１ｃと直交する水平部１ａを室内側に向けて溶接により連結されており、この取り付け用金具１の垂直面１ｂの中心付近に自重受け金具７やパネル取り付け金具８が溶接固定されている。
【００１１】
さらに、図示省略の下階パネル頭部のパネル幅方向中心に取り付けられたパネルの自重受け機能を有する自重受け金具７が、パネルの取り付け用金具１の垂直部１ｂに溶接固定されて下階パネルを固定しており、そのパネルの取り付け用金具１の上に上階パネル足元のパネル幅方向中心が設置されると共に、その足元のパネル幅方向中心に取り付けられた断面Ｌ字形のパネル取り付け金具８が、取り付け用金具の水平部に設置され溶接固定される。
【００１２】
このような取り付け構造とすれば、取り付け金具が水平部と垂直部を有するアングル状の鋼板から構成されているので、建物外面方向の外力に対しても十分な強度を有し、スプライスプレートへの溶接も不要なので施工手間がかかることはない。
【図面の簡単な説明】
【００１３】
【図１】本発明の取り付け用金具を示す斜視図である。
【図２】図１の取り付け用金具を使用した取付構造を示す斜視図である。
【図３】従来の取り付け用金具の一例を示す斜視図である。
【図４】図３の取り付け用金具を使用した取付構造を示す斜視図である。
【図５】従来の取り付け用金具の他の例を示す斜視図である。
【図６】図５の取り付け用金具を使用した取付構造を示す斜視図である。
【符号の説明】
【００１４】
１：パネルの取り付け用金具、
２：梁、
３：接合部、
４：スプライスプレート、
５：ボルト、
６：定規アングル、
７：自重受け金具、
８：パネル取り付け金具、
１１，１２：取り付け用金具
【図１】
2005256366.tif 000003
【図２】
2005256366.tif 000004
【図３】
2005256366.tif 000005
【図４】
2005256366.tif 000006
【図５】
2005256366.tif 000007
【図６】
2005256366.tif 000008